(57)【特許請求の範囲】
【請求項１】
被検体の特徴点を含む身体情報を計測する計測部と、
前記被検体を載置する天板と、
前記身体情報と、前記被検体の撮像部位の撮像に使用するＲＦ（Radio Frequency）コイルの設置位置とに基づいて、前記天板上の着座位置を算出する演算部と、
前記演算部が算出した前記着座位置を指示する指示部と、
を備え、
前記演算部は、前記着座位置を、前記ＲＦコイルの設置位置により特定される前記被検体の特徴点に基づいて算出する、
医用画像診断装置。
【請求項２】
前記指示部として、前記天板の長手方向に沿って配列された複数の発光体を備え、
前記指示部は、前記複数の発光体のうち、前記着座位置に対応する発光体が発光することにより前記着座位置を指示する請求項１に記載の医用画像診断装置。
【請求項３】
前記複数の発光体は、前記天板、又は、前記天板を保持する寝台本体に備えられた請求項２に記載の医用画像診断装置。
【請求項４】
前記指示部として、光の照射方向が可変である投光器を備え、
前記指示部は、前記投光器が前記着座位置に向けて光を照射することにより前記着座位置を指示する請求項１に記載の医用画像診断装置。
【請求項５】
前記投光器は、検査室の天井、又は、架台に設置された請求項４に記載の医用画像診断装置。
【請求項６】
前記指示部として、検査室の天井に、前記天板の長手方向に延設されたレール上を移動可能な投光器を備え、
前記指示部は、前記レール上の投光器の位置を調整することにより前記着座位置を指示する請求項１に記載の医用画像診断装置。
【請求項７】
前記指示部は、前記着座位置を含む前記天板上の領域を指示する請求項１乃至６のうちいずれか一項に記載の医用画像診断装置。
【請求項８】
前記指示部として、スピーカを備え、
前記天板、又は、前記天板を保持する寝台本体に、前記天板の長手方向の平行方向に複数の着座位置候補が印され、
前記指示部は、前記複数の着座位置候補のうち前記着座位置に対応する着座位置候補を通知する情報を前記スピーカから出力することにより前記着座位置を指示する請求項１に記載の医用画像診断装置。
【請求項９】
前記指示部として、表示部を備え、
前記天板、又は、前記天板を保持する寝台本体に、前記天板の長手方向の平行方向に複数の着座位置候補が印され、
前記指示部は、前記複数の着座位置候補のうち前記着座位置に対応する着座位置候補を通知する情報を前記表示部に表示することにより前記着座位置を指示する請求項１に記載の医用画像診断装置。
【請求項１０】
前記天板上に設置可能であり、外表面が高摩擦係数素材によって構成され、内部に紛体潤滑剤が封入された袋状シートと、
前記袋状シートへの空気の注入と前記袋状シートからの空気の排出が可能な吸引排出装置と、をさらに備えた請求項１乃至９のうちいずれか一項に記載の医用画像診断装置。
【請求項１１】
前記演算部は、前記ＲＦコイルの設置位置により特定された前記被検体の特徴点と基準部位との前記天板の長手方向における距離を算出し、前記ＲＦコイルの設置位置により特定された前記被検体の特徴点の位置から前記長手方向に、前記距離の分ずらした位置を前記着座位置として算出する請求項１乃至１０のうちいずれか一項に記載の医用画像診断装置。
【請求項１２】
前記演算部は、前記基準部位を、前記天板上で着座の姿勢から臥位の姿勢に移行する際の、前記被検体の回転の基点となる部位とする請求項１１に記載の医用画像診断装置。
【請求項１３】
前記演算部は、前記被検体の回転の基点となる部位を、前記被検体の坐骨又はその周辺の部位とする請求項１２に記載の医用画像診断装置。
【請求項１４】
前記被検体を検知する検知部をさらに備え、
前記演算部は、前記検知部からの検知信号を受信した後で前記着座位置の算出を開始する請求項１乃至１３のうちいずれか一項に記載の医用画像診断装置。
【請求項１５】
被検体の特徴点を含む身体情報を計測する計測部と、
前記被検体を載置する天板と、
前記被検体の撮像部位の撮像に使用するＲＦ（Radio Frequency）コイルの選択を受け付ける選択部と、
前記身体情報と、前記選択部により選択された、前記撮像に使用するＲＦコイルの設置位置とに基づいて、前記天板上の着座位置を算出する演算部と、
前記演算部が算出した前記着座位置を指示する指示部と、
を備え、
前記演算部は、前記着座位置を、前記撮像に使用するＲＦコイルの設置位置により特定される前記被検体の特徴点に基づいて算出する、
磁気共鳴イメージング装置。
【請求項１６】
前記演算部は、前記身体情報に基づいて、前記撮像に使用するＲＦコイルと基準部位との前記天板の長手方向における距離を算出し、前記撮像に使用するＲＦコイルの設置位置から前記長手方向に、前記距離の分ずらした位置を前記着座位置として算出する請求項１５に記載の磁気共鳴イメージング装置。
【発明の詳細な説明】
【技術分野】
【０００１】
本発明の実施形態は、医用画像診断装置及び磁気共鳴イメージング装置に関する。
【背景技術】
【０００２】
ＭＲＩ（Magnetic Resonance Imaging）画像、Ｘ線ＣＴ（Computerized Tomography）装置、及びＸ線診断装置等の医用画像診断装置は、天板上の患者を撮像し、患者の内部情報を画像データとして取得する装置である。
【０００３】
医用画像診断装置としての磁気共鳴イメージング装置は、静磁場中に置かれた撮像部位の原子核スピンをラーモア周波数の高周波信号、即ちＲＦ（Radio Frequency）信号で励起する。そして、磁気共鳴イメージング装置は、当該励起に伴って撮像部位から発生する磁気共鳴信号、即ちＭＲ（Magnetic Resonance）信号をＷＢ（Whole Body）コイルで受信し、再構成して画像データを生成する。また、磁気共鳴イメージング装置において、種々の撮像部位にそれぞれ対応する種々の局所コイルが用いられる場合がある。
【０００４】
さらに、医用画像診断装置としてのＸ線ＣＴ装置は、複数のビューから患者の撮像部位に向かってＸ線を照射し、撮像部位を透過したビュー毎のＸ線の強度に基づいて画像データを生成する。頭部が撮像される場合、頭部固定具によって頭部等を固定する場合がある。
【先行技術文献】
【特許文献】
【０００５】
【特許文献１】特開２００７-６８９８４号公報
【発明の概要】
【発明が解決しようとする課題】
【０００６】
本発明が解決しようとする課題は、天板上における患者の位置合せ動作の負荷を軽減できる医用画像診断装置及び磁気共鳴イメージング装置を提供することである。
【課題を解決するための手段】
【０００７】
本実施形態に係る磁気共鳴イメージング装置は、被検体の身体情報を計測する計測部と、前記被検体を載置する天板を保持する寝台本体と、前記身体情報に基づいて、前記天板上の着座位置を算出する演算部と、前記着座位置を指示する指示部と、前記演算部が算出した前記着座位置を前記指示部が指示するように制御する指示制御部と、を備えた。
【図面の簡単な説明】
【０００８】
【図１】本実施形態に係る医用画像診断装置としてのＭＲＩ装置の全体構成を示すブロック図。
【図２】（Ａ），（Ｂ）は、本実施形態に係るＭＲＩ装置に備えられるＲＦコイルの各種別における天板上の設置位置を示す図。
【図３】本実施形態に係るＭＲＩ装置の機能を示すブロック図。
【図４】本実施形態に係るＭＲＩ装置の機能を示すフローチャート。
【図５】本実施形態に係るＭＲＩ装置の高さ情報を示す図。
【図６】（Ａ）〜（Ｃ）は、本実施形態に係るＭＲＩ装置における、天板上の着座位置のＺ成分の算出方法を説明するための図。
【図７】本実施形態に係るＭＲＩ装置における、天板上の着座位置と、その指示方法の第１例を示す図。
【図８】本実施形態に係るＭＲＩ装置における、天板上の着座位置と、その指示方法の第２例を示す図。
【図９】本実施形態に係るＭＲＩ装置における、天板上の着座位置と、その指示方法の第３例を示す図。
【図１０】本実施形態に係るＭＲＩ装置における、天板上の着座位置と、その指示方法の第４例を示す図。
【図１１】本実施形態に係るＭＲＩ装置における、天板上の着座位置と、その指示方法の第５例を示す図。
【図１２】本実施形態に係るＭＲＩ装置における、天板上の着座位置と、その指示方法の第６例を示す図。
【図１３】本実施形態に係るＭＲＩ装置における、天板上の着座位置に着座した患者を示す図。
【図１４】本実施形態に係るＭＲＩ装置における、天板に臥位にて載置された患者の位置の微調整方法を説明するための図。
【図１５】本実施形態に係るＸ線ＣＴ装置に備えられる頭部固定具における天板上の設置位置を示す図。
【図１６】本実施形態に係るＸ線ＣＴ装置における、天板上の着座位置のＺ成分の算出方法を説明するための図。
【発明を実施するための形態】
【０００９】
以下、本発明の実施形態を添付図面に基づいて説明する。
【００１０】
図１は、本実施形態に係る医用画像診断装置としてのＭＲＩ装置の全体構成を示すブロック図である。
【００１１】
ＭＲＩ装置１は、磁石架台１００、制御キャビネット３００、コンソール４００、寝台５００、検知部６００、計測部７００、及び指示部８００を備える。
【００１２】
磁石架台１００は、静磁場磁石１０、傾斜磁場コイル１１、及びＷＢ（Whole Body）コイル１２、を有しており、これらの構成品は円筒状の筐体に収納されている。寝台５００は、寝台本体５０及び天板５１を有する。
【００１３】
制御キャビネット３００は、静磁場用電源装置３０、傾斜磁場電源装置３１（Ｘ軸用３１ｘ、Ｙ軸用３１ｙ、Ｚ軸用３１ｚ）、ＲＦ受信器３２、ＲＦ送信器３３、及びシーケンスコントローラ３４を備える。
【００１４】
コンソール４００は、処理回路４０、記憶回路４１、ディスプレイ４２、及び入力回路４３を備えている。コンソール４００は、ホスト計算機として機能する。
【００１５】
磁石架台１００の静磁場磁石１０は、静磁場磁石が円筒形状の磁石構造であるトンネルタイプと、撮像空間を挟んで上下に一対の静磁場磁石が配置された開放型（オープン型）とに大別される。ここでは、静磁場磁石１０がトンネル型である場合について説明するが、その場合に限定されるものではない。
【００１６】
静磁場磁石１０は、概略円筒形状をなしており、被検体、例えば患者、が搬送されるボア内に静磁場を発生させる。ボアとは、磁石架台１００の円筒内部の空間のことである。静磁場磁石１０は、液体ヘリウムを保持するための筐体と、液体ヘリウムを極低温に冷却するための冷凍機と、筐体内部の超電導コイルとによって構成される。なお、静磁場磁石１０は、常伝導磁石又は永久磁石によって構成されてもよい。以下、静磁場磁石１０が、超伝導コイルを有する場合について説明する。
【００１７】
静磁場磁石１０は、超電導コイルを内蔵し、液体ヘリウムによって超電導コイルが極低温に冷却されている。静磁場磁石１０は、励磁モードにおいて静磁場用電源装置３０から供給される電流を超電導コイルに印加することで静磁場を発生する。その後、永久電流モードに移行すると、静磁場用電源装置３０は切り離される。一旦永久電流モードに移行すると、静磁場磁石１０は、長時間、例えば１年以上に亘って、大きな静磁場を発生し続ける。
【００１８】
傾斜磁場コイル１１は、静磁場磁石１０と同様に概略円筒形状をなし、静磁場磁石１０の内側に設置されている。傾斜磁場コイル１１は、傾斜磁場電源装置３１から供給される電力により傾斜磁場を患者に印加する。
【００１９】
ここで、傾斜磁場の生成に伴って発生する渦電流がイメージングの妨げとなることから、傾斜磁場コイル１１として、例えば、渦電流の低減を目的としたＡＳＧＣ（Actively Shielded Gradient Coil）が用いられてもよい。ＡＳＧＣは、Ｘ軸、Ｙ軸、及びＺ軸方向の各傾斜磁場をそれぞれ形成するためのメインコイルの外側に、漏れ磁場を抑制するためのシールドコイルを設けた傾斜磁場コイルである。
【００２０】
ＷＢコイル１２は、全身用コイルとも呼ばれ、傾斜磁場コイル１１の内側に患者を取り囲むように概略円筒形状に設置されている。ＷＢコイル１２は、ＲＦ送信器３３から伝送されるＲＦパルスを患者に向けて送信する。一方、ＷＢコイル１２は、水素原子核の励起によって患者から放出される磁気共鳴信号、即ちＭＲ（Magnetic Resonance）信号を受信する。
【００２１】
ＭＲＩ装置１は、ＷＢコイル１２の他、図１に示すようにＲＦ（Radio Frequency）コイル２０を備えてもよい。ＲＦコイル２０は、患者の体表面に近接して載置される局所コイルである。ＲＦコイル２０は、複数のコイル要素を備えてもよい。これら複数のコイル要素は、ＲＦコイル２０の内部でアレイ状に配列されるため、ＰＡＣ（Phased Array Coil）と呼ばれることもある。
【００２２】
ＲＦコイル２０には幾つかの種別がある。例えば、ＲＦコイル２０には、図１に示すように患者の胸部や腹部、或いは脚部に設置されるボディコイル（Body Coil）や、患者の背側に設置されるスパインコイル（Spine Coil）といった種別がある。この他、ＲＦコイル２０には、患者の頭部を撮像するための頭部コイル（Head Coil）や、足を撮像するためのフットコイル（Foot Coil）といった種別もある。また、ＲＦコイル２０には、手首を撮像するためのリストコイル（Wrist Coil）、膝を撮像するためのニーコイル（Knee Coil）、肩を撮像するためのショルダーコイル（Shoulder Coil）といった種別もある。ＲＦコイル２０の多くは受信専用のコイルであるが、ＲＦコイル２０の中には送信と受信を双方行う送受信コイルもある。例えば、ＲＦコイル２０としての頭部コイル及び膝用コイルの中には、送受信コイルも存在する。
【００２３】
ここで、ＲＦコイル２０の種別によっては、天板５１上の設置位置が決まっている。ここでは、天板５１上の設置位置が決まっているＲＦコイル２０の種別が、頭部コイル、ショルダーコイル、スパインコイル、リストコイル、ニーコイル、及びフットコイルである場合について説明する。しかしながら、それらに限定されるものではない。
【００２４】
図２（Ａ），（Ｂ）は、ＭＲＩ装置１に備えられるＲＦコイル２０の各種別における天板５１上の設置位置を示す図である。
【００２５】
図２（Ａ）は、磁石架台１００及び天板５１の上面図を示す。図２（Ａ）は、磁石架台１００へ、患者の頭部側から磁石架台１００に挿入するＨｅａｄ−Ｆｉｒｓｔの場合のＲＦコイル２０の設置位置を示す。
【００２６】
天板５１上の位置Ｐａは、ＲＦコイル２０としての頭部コイルの設置位置である。天板５１上の位置Ｐｂは、ＲＦコイル２０としてのショルダーコイルの設置位置である。天板５１上の位置Ｐｃは、ＲＦコイル２０としてのスパインコイルの設置位置である。天板５１上の位置Ｐｄは、ＲＦコイル２０としてのリストコイルの設置位置である。天板５１上の位置Ｐｅは、ＲＦコイル２０としてのニーコイルの設置位置である。天板５１上の位置Ｐｆは、ＲＦコイル２０としてのフットコイルの設置位置である。
【００２７】
撮像部位に応じていずれか１又は複数のコイルが使用コイルとして選択される。例えば、撮像部位が頭部の場合、頭部コイルが使用コイルとして選択される。そして、頭部撮像に先立って、頭部コイルが図２（Ａ）に示す設置位置Ｐａにセットされる。
【００２８】
さらに、撮像部位が背骨の場合、スパインコイルが選択される。又は、撮像部位が脊椎の場合、スパインコイルが使用コイルとして選択され、さらに、スパインコイルの中の複数のコイル要素から特定のコイル要素が使用コイル要素として選択される。
【００２９】
図２（Ｂ）は、磁石架台１００及び天板５１の上面図を示す。図２（Ｂ）は、磁石架台１００へ、患者の足部側から磁石架台１００に進入するＦｏｏｔ−Ｆｉｒｓｔの場合のＲＦコイル２０の設置位置を示す。
【００３０】
天板５１上の位置Ｐａ´は、ＲＦコイル２０としての頭部コイルの設置位置である。天板５１上の位置Ｐｂ´は、ＲＦコイル２０としてのショルダーコイルの設置位置である。天板５１上の位置Ｐｃ´は、ＲＦコイル２０としてのスパインコイルの設置位置である。天板５１上の位置Ｐｄ´は、ＲＦコイル２０としてのリストコイルの設置位置である。天板５１上の位置Ｐｅ´は、ＲＦコイル２０としてのニーコイルの設置位置である。天板５１上の位置Ｐｆ´は、ＲＦコイル２０としてのフットコイルの設置位置である。
【００３１】
撮像部位に応じていずれか１又は複数のコイルが使用コイルとして選択される。例えば、撮像部位が頭部の場合、頭部コイルが選択される。そして、頭部撮像に先立って、頭部コイルが図２（Ｂ）に示す設置位置Ｐａ´にセットされる。
【００３２】
以下、特に言及しない限り、磁石架台１００への進入が、図２（Ａ）に示すＨｅａｄ−Ｆｉｒｓｔの場合を例にとって説明する。
【００３３】
図１の説明に戻って、傾斜磁場電源装置３１は、Ｘ軸、Ｙ軸、及びＺ軸の傾斜磁場を発生するコイルそれぞれを駆動する各チャンネル用の傾斜磁場電源装置３１ｘ，３１ｙ，３１ｚを備える。傾斜磁場電源装置３１ｘ、３１ｙ、３１ｚは、シーケンスコントローラ３４の指令により、必要な電流波形を各チャンネル独立に出力する。それにより、傾斜磁場コイル１１は、Ｘ軸、Ｙ軸、及びＺ軸の方向における傾斜磁場を患者に印加することができる。
【００３４】
ＲＦ送信器３３は、シーケンスコントローラ３４からの指示に基づいてＲＦパルスを生成する。生成したＲＦパルスはＷＢコイル１２に伝送され、患者に印加される。ＲＦパルスの印加によって患者からＭＲ信号が発生する。このＭＲ信号をＲＦコイル２０又はＷＢコイル１２が受信する。
【００３５】
ＲＦコイル２０で受信したＭＲ信号、より具体的には、ＲＦコイル２０内の各コイル要素で受信したＭＲ信号は、ＲＦ受信器３２に伝送される。各コイル要素の出力経路や、ＷＢコイル１２の出力経路はチャンネルと呼ばれる。このため、各コイル要素やＷＢコイル１２から出力される夫々のＭＲ信号をチャンネル信号と呼ぶこともある。ＷＢコイル１２で受信したチャンネル信号もＲＦ受信器３２に伝送される。
【００３６】
ＲＦ受信器３２は、ＲＦコイル２０やＷＢコイル１２からのチャンネル信号、即ちＭＲ信号をＡＤ変換して、シーケンスコントローラ３４に出力する。デジタルに変化されたＭＲ信号は、生データ（Raw Data）と呼ばれることもある。
【００３７】
シーケンスコントローラ３４は、コンソール４００による制御のもと、傾斜磁場電源装置３１、ＲＦ送信器３３及びＲＦ受信器３２をそれぞれ駆動することによって患者の撮像を行う。撮像によってＲＦ受信器３２から生データを受信すると、シーケンスコントローラ３４は、その生データをコンソール４００に送信する。
【００３８】
シーケンスコントローラ３４は、処理回路（図示を省略）を具備している。この処理回路は、例えば所定のプログラムを実行するプロセッサや、ＦＰＧＡ（Field Programmable Gate Array）及びＡＳＩＣ（Application Specific Integrated Circuit）等のハードウェアで構成される。
【００３９】
寝台５００の寝台本体５０は、天板５１を上下方向及び水平方向に移動することができる。撮像前に天板５１に載置された患者を所定の高さまで移動させる。その後、撮影時には天板５１を水平方向に移動させて患者をボア内に移動させる。
【００４０】
コンソール４００は、処理回路４０、記憶回路４１、ディスプレイ４２、及び入力回路４３を備える。
【００４１】
処理回路４０は、専用又は汎用のＣＰＵ（Central Processing Unit）又はＭＰＵ（Micro Processor Unit）の他、特定用途向け集積回路（ＡＳＩＣ）、及び、プログラマブル論理デバイス等の処理回路を意味する。プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）、及び、フィールドプログラマブルゲートアレイ（ＦＰＧＡ）等の回路が挙げられる。処理回路４０は、記憶回路４１に記憶された、又は、処理回路４０内に直接組み込まれたプログラムを読み出し実行することで後述する機能を実現する。
【００４２】
また、処理回路４０は、単一の回路によって構成されてもよいし、複数の独立した回路を組み合わせによって構成されてもよい。後者の場合、プログラムを記憶する記憶回路４１は、複数の回路の各回路に個別に設けられてもよいし、１個の記憶回路４１が複数の回路の機能に対応するプログラムを記憶するものであってもよい。
【００４３】
記憶回路４１は、ＲＡＭ（Random Access Memory）、フラッシュメモリ（Flash Memory）等の半導体メモリ素子、ハードディスク、及び光ディスク等を備える。記憶回路４１は、ＵＳＢ（Universal Serial bus）メモリ及びＤＶＤ（Digital Video Disk）等の可搬型メディアを備えてもよい。記憶回路４１は、処理回路４０において用いられる各種処理プログラム（アプリケーションプログラムの他、ＯＳ（Operating System）等も含まれる）や、プログラムの実行に必要なデータや、医用画像を記憶する。また、ＯＳに、操作者に対するディスプレイ４２への情報の表示にグラフィックを多用し、基礎的な操作を入力回路４３によって行うことができるＧＵＩ（Graphical User Interface）を含めることもできる。
【００４４】
ディスプレイ４２は、液晶ディスプレイパネル、プラズマディスプレイパネル、及び有機ＥＬ（Electro Luminescence）パネル等の表示デバイスである。
【００４５】
入力回路４３は、操作者によって操作が可能なポインティングデバイス（マウス等）やキーボード等の入力デバイスからの信号を入力する回路であり、ここでは、入力デバイス自体も入力回路４３に含まれるものとする。操作者により入力デバイスが操作されると、入力回路４３はその操作に応じた入力信号を生成して処理回路４０に出力する。なお、ＭＲＩ装置１は、入力デバイスがディスプレイ４２と一体に構成されたタッチパネルを備えてもよい。
【００４６】
検知部６００は、検査室の入口シールドドアの付近に設けられ、検査室に入室する患者を検知する。検知部６００は、赤外線、超音波、及び可視光等を用いる人感センサである。また、検知部６００は、複数の受像素子が鉛直方向に一列に並ぶＣＣＤ（Charge-Coupled Device）ラインセンサであってもよい。その場合、処理回路４０は、ＣＣＤラインセンサで得られる複数フレーム分のデータの差分をとり、患者を含まないフレームのデータと患者を含むフレームのデータとの差分に基づいて患者を検知する。
【００４７】
計測部７００は、検査室の内部又は外部に設けられる。計測部７００は、処理回路４０による制御により、患者の身体情報を計測する。身体情報は、特徴点を含む。また、身体情報は、図５に示すような高さ情報を含んでもよい。高さ情報とは、例えば、複数の特徴点間の高さの差の情報である。計測部７００としては、例えば、ｋｉｎｅｃｔ（登録商標）や、ＣＣＤラインセンサや、サーモグラフィ装置を利用できる。
【００４８】
ｋｉｎｅｃｔは、患者の画像と深さ情報とを計測し、画像及び深さ情報に基づいて、特徴点を含む骨格画像を生成する。
【００４９】
ＣＣＤラインセンサは、複数の受像素子が鉛直方向に一列に配列されたセンサである。検知部６００及び計測部７００としてＣＣＤラインセンサが用いられる場合、計測部７００の機能を検知部６００に組み込むこともできる。その場合、検知部６００として検査室の入口シールドドアの付近に設けられたＣＣＤラインセンサは、患者を検知するとともに、移動する患者を撮影して患者の身体情報を含む光学画像を生成する。
【００５０】
サーモグラフィ装置は、患者から放射される赤外線を分析して患者の身体情報を含む熱分布画像を生成する。
【００５１】
指示部８００は、処理回路４０による制御により、天板５１上の着座位置を指示する。指示部８００としては、図７の投光器８１，８２と、図８の投光器８３，８４と、図９の複数の発光体８５と、図１０及び図１２のスピーカ８６と、図１１の複数の発光体８７と、の７個のうち少なくとも１個が採用される。各指示部８００の設置場所及び動作については後述する。
【００５２】
図３は、ＭＲＩ装置１の機能を示すブロック図である。
【００５３】
処理回路４０（又はシーケンスコントローラ３４の処理回路）がプログラムを実行することによって、ＭＲＩ装置１は、選択機能４０１、演算機能４０２、指示制御機能４０３、及び撮像機能４０４として機能する。なお、選択機能４０１は必須の機能ではない。
【００５４】
選択機能４０１は、患者の撮像対象である撮像部位の情報を取得し、天板上の設置位置が決まっているＲＦコイル２０から、撮像部位に対応する使用コイルを選択する機能である。撮像部位の情報は、例えば、ＭＷＭ（Modality Work list Management）サーバから供給されるＤＩＣＯＭ（Digital Imaging and COmmunication in Medicine）仕様のワークリストに含まれる。ＭＲＩ装置１は、検査を行う前に、ＭＷＭサーバに問い合わせを行い、ワークリストを取得する。
【００５５】
演算機能４０２は、計測部７００によって計測された患者の身体情報に基づいて、特徴点や、高さ情報を算出することにより、天板５１上の距離情報を算出する機能である。距離情報とは、図５に示す高さ情報に含まれる高さを、天板５１のＺ方向の距離に変換したものである。また、演算機能４０２は、距離情報に基づいて、天板５１上の着座位置を算出する機能である。演算機能４０２は、基準部位に対する所定部位の高さ情報を算出し、天板５１上の所定の位置から、高さ情報に応じた距離情報の分だけずれた天板５１上の位置を、患者の身体情報に応じた着座位置として算出することができる。ここで、天板５１上の着座位置とは、天板５１上の少なくともＺ方向の位置を意味する。例えば、天板５１上の着座位置とは、天板５１上の位置のＺ成分（１次元的な位置情報）であるか、天板５１上の位置のＸ及びＺ成分（２次元的な位置情報）である。天板５１上の着座位置のＹ方向の位置は、天板５１の高さで決まる。
【００５６】
計測部７００としてＣＣＤラインセンサが用いられる場合、演算機能４０２は、計測部７００から、特徴点や、高さ情報を含む光学画像を取得する。ここで、光学画像は、頭部の中心や、両腕の付け根や、胴の中心や、両脚の付け根等の複数の特徴点を含む。また、計測部７００としてサーモグラフィ装置が用いられる場合、演算機能４０２は、計測部７００から、特徴点や、高さ情報を含む熱分布画像を取得する。なお、ワークリストが患者の身長の情報を含んでいるので、画像上の頭頂から足までの画素数と身長とを対応付けて、実際の高さが得られる。
【００５７】
また、演算機能４０２は、計測部７００によって計測された車いすに搭乗した患者の身体情報に基づいて、天板５１上の着座位置を算出することもできる。検査室入口付近に配置されたラインセンサ等（図示しない）から人間の通過が検知された旨の検知信号が受信されると、演算機能４０２は、患者の高さ（足から頭頂までの高さ＋座面の奥行）を身長を含む画像を取得することができる。ラインセンサ等は、ＭＲＩ検査の安全対策として設置される磁性体センサ等に内蔵してもよい。
【００５８】
又は、選択機能４０１が存在する場合、演算機能４０２は、高さ情報に基づく天板５１上の距離情報と、選択機能４０１によって選択された使用コイルとに基づいて、天板５１上の着座位置を算出する機能を有してもよい。計測部７００としてｋｉｎｅｃｔが用いられる場合、演算機能４０２は、計測部７００から、複数の特徴点を含む骨格画像を取得する。演算機能４０２は、ＣＣＤラインセンサの場合と同様に、ワークリストに含まれる患者の身長の情報から、骨格画像上の複数の特徴点やそれらの間におけるＺ方向の距離を算出することができる。以下、選択機能４０１が存在し、演算機能４０２が、高さ情報に基づく天板５１上の距離情報と使用コイルとに基づいて着座位置を算出する場合について説明する。
【００５９】
ここで、複数の撮像部位に応じて複数の使用コイルが選択された場合、演算機能４０２は、いずれかの撮像部位に応じた使用コイルと、天板５１上の距離情報とに基づいて、天板５１上の着座位置を算出すればよい。また、使用コイルが複数のコイル要素を含む場合、演算機能４０２は、使用コイルに含まれる複数のコイル要素のうち１又は複数の使用コイル要素と天板５１上の距離情報とに基づいて、天板５１上の着座位置を算出すればよい。
【００６０】
指示制御機能４０３は、指示部８００を制御して、演算機能４０２によって算出された着座位置を指示する機能である。
【００６１】
撮像機能４０４は、撮像条件を設定し、その撮像条件に基づいてシーケンスコントローラ３４を制御して撮像を実行させる機能である。
【００６２】
なお、ＭＲＩ装置１が有する機能４０１〜４０４の具体的な説明は、図４に示すフローチャートを用いて行なう。
【００６３】
図３及び図４を用いて、ＭＲＩ装置１の機能を具体的に説明する。
【００６４】
図４は、ＭＲＩ装置１の機能を示すフローチャートである。
【００６５】
検知部６００は、検査室に入室する患者を検知する（ステップＳＴ１）。ステップＳＴ１による患者の検知信号を受け取ると、選択機能４０１は、使用コイルの選択処理を開始する（ステップＳＴ２）。選択機能４０１は、患者の撮像対象である撮像部位の情報を取得し、撮像部位に基づいて、天板上の設置位置が決まっているＲＦコイル２０から使用コイルを選択する（ステップＳＴ３）。
【００６６】
また、計測部７００は、患者の身体情報を計測する（ステップＳＴ４）。なお、ステップＳＴ４は、ステップＳＴ１の後からステップＳＴ５の前までであれば、いつ行われてもよい。
【００６７】
ステップＳＴ４によって患者の複数の特徴点が計測されると、演算機能４０２は、ステップＳＴ３によって選択された使用コイルと、ステップＳＴ４によって計測された身体情報とに基づいて、天板５１上における患者の着座位置を算出する（ステップＳＴ５）。
【００６８】
ステップＳＴ５において、演算機能４０２は、使用コイルと、身体情報とに基づいて、患者の基準部位に対する、撮像部位の高さ情報を算出する（ステップＳＴ５１）。基準部位とは、天板上で着座の姿勢から臥位の姿勢に移行する際の患者の回転の基点となる部位のことである。すなわち、着座の姿勢から臥位の姿勢に移行する際には基点はその場で回転するのみであるので、基準部位のＺ方向の位置は不変である。基準部位としては、患者の体軸上であり、天板５１ａに着座したときに天板５１ａにほぼ接する部位、例えば、坐（座）骨やその周辺の部位が選ばれる。
【００６９】
図５は、高さ情報を示す図である。
【００７０】
図５は、計測部７００（図３に図示）によって計測された関節位置等の複数の特徴点を含む骨格画像を示す。図５に示すように、骨格画像に含まれる複数の特徴点としては、頭、肩中央、右肩、及び尻中央（Hip Center）等が挙げられる。
【００７１】
使用コイルが頭部コイルである場合、撮像部位が特徴点としての「頭」に対応付けられ、基準部位が特徴点としての「尻中央Ｂ」に対応付けられる。そして、基準部位としての「尻中央Ｂ」に対する、特徴点としての「頭」の高さが算出される。具体的には、使用コイルが頭部コイルである場合、基準部位としての「尻中央Ｂ」に対する、特徴点としての頭の高さ△ｚａが算出される。図５に示す場合、「頭」の位置は、「尻中央Ｂ」の位置より高いので、高さ△ｚａは、正となる。高さ△ｚａが正となる場合、使用コイルが頭部コイルであるとき、着座位置は、図６（Ａ）に示すように、頭部コイルの設置位置Ｐａ［ｚａ］より負の側（右側）となる。
【００７２】
使用コイルがショルダーコイルである場合、撮像部位が特徴点としての「右肩（又は左肩）」に対応付けられ、基準部位が特徴点としての「尻中央Ｂ」に対応付けられる。そして、基準部位としての「尻中央Ｂ」に対する、特徴点としての「右肩」の高さが算出される。具体的には、使用コイルがショルダーコイルである場合、基準部位としての「尻中央Ｂ」に対する、特徴点としての「右肩」の高さ△ｚｂが算出される。図５に示す場合、「右肩」の位置は、「尻中央Ｂ」の位置より高いので、高さ△ｚｂは、正となる。
【００７３】
使用コイルがスパインコイルである場合、撮像部位が特徴点としての「背骨」に対応付けられ、基準部位が特徴点としての「尻中央Ｂ」に対応付けられる。そして、基準部位としての「尻中央Ｂ」に対する、特徴点としての「背骨」の高さが算出される。具体的には、使用コイルがスパインコイルである場合、基準部位としての「尻中央Ｂ」に対する、特徴点としての「背骨」の高さ△ｚｃが算出される。図５に示す場合、「背骨」の位置は、「尻中央Ｂ」の位置より高いので、高さ△ｚｃは、正となる。高さ△ｚｃが正となる場合、使用コイルがスパインコイルであるとき、着座位置は、図６（Ｂ）に示すように、スパインコイルの設置位置Ｐｃ［ｚｃ］より負の側（右側）となる。
【００７４】
使用コイルがリストコイルである場合、撮像部位が特徴点としての「右手首（又は左手首）」に対応付けられ、基準部位が特徴点としての「尻中央Ｂ」に対応付けられる。そして、基準部位としての「尻中央Ｂ」に対する、特徴点としての「右手首」の高さが算出される。具体的には、使用コイルがリストコイルである場合、基準部位としての「尻中央Ｂ」に対する、特徴点としての「右手首」の高さ△ｚｄが算出される。図５に示す場合、「右手首」の位置は、「尻中央Ｂ」の位置より高いので、高さ△ｚｄは、正となる。
【００７５】
使用コイルがニーコイルである場合、撮像部位が特徴点としての「右膝（又は左膝）」に対応付けられ、基準部位が特徴点としての「尻中央Ｂ」に対応付けられる。そして、基準部位としての「尻中央Ｂ」に対する、特徴点としての「右膝」の高さが算出される。具体的には、使用コイルがニーコイルである場合、基準部位としての「尻中央Ｂ」に対する、特徴点としての「右膝」の高さ△ｚｅが算出される。図５に示す場合、「右膝」の位置は、「尻中央Ｂ」の位置より低いので、高さ△ｚｅは、負となる。高さ△ｚｅが正となる場合、使用コイルがニーコイルであるとき、着座位置は、図６（Ｃ）に示すように、ニーコイルの設置位置Ｐｅ［ｚｅ］より正の側（左側）となる。
【００７６】
使用コイルがフットコイルである場合、撮像部位が特徴点としての「右足首（又は左足首）」に対応付けられ、基準部位が特徴点としての「尻中央Ｂ」に対応付けられる。そして、基準部位としての「尻中央Ｂ」に対する、特徴点としての「右足首」の高さが算出される。具体的には、使用コイルがフットコイルである場合、基準部位としての「尻中央Ｂ」に対する、特徴点としての「右足首」の高さ△ｚｆが算出される。図５に示す場合、「右手首」の位置は、「尻中央Ｂ」の位置より低いので、高さ△ｚｄは、正となる。
【００７７】
図４の説明に戻って、ステップＳＴ５において、演算機能４０２は、ステップＳＴ５１によって算出された高さ情報を天板５１上の距離情報に変換し、天板５１上のコイルの設置位置から、天板５１上の距離情報の分だけＺ方向に離れた位置のＺ成分を算出する（ステップＳＴ５２）。距離情報とは、図５に示す高さ情報に含まれる高さを、天板５１のＺ方向の距離に変換したものである。
【００７８】
図６（Ａ）〜（Ｃ）は、天板５１上の着座位置の算出方法を説明するための図である。
【００７９】
図６（Ａ）は、天板５１の上面図を示す。ここで、天板５１上のＺ方向の位置を［Ｚ］と定義し、着座位置ＳのＺ成分ｕをＳ［ｕ］と定義する。使用コイルが頭部コイルである場合の着座位置は、頭部コイルの設置位置（例えば、その中心位置）Ｐａ［ｚａ］と、図５に示す距離△ｚａ（正）とを使ってＳａ［ｚａ−△ｚａ］と表せる。すなわち、着座位置は、頭部コイルの設置位置Ｐａ［ｚａ］よりマイナス側であり、図６（Ａ）中で設置位置Ｐａ［ｚａ］より右側であり、磁石架台１００から遠い側である。
【００８０】
なお、磁石架台１００への進入がＦｏｏｔ−Ｆｉｒｓｔの場合、使用コイルが頭部コイルであるときの着座位置は、頭部コイルの設置位置と、図５に示す距離△ｚａ（正）とを使ってＳａ［ｚａ＋△ｚａ］と表せる。すなわち、着座位置は、頭部コイルの設置位置よりプラス側であり、磁石架台１００に近い側である。
【００８１】
図６（Ｂ）は、天板５１の上面図を示す。使用コイルがスパインコイルである場合の着座位置は、スパインコイルの設置位置Ｐｃ［ｚｃ］と、図５に示す距離△ｚｃ（正）とを使ってＳｃ［ｚｃ−△ｚｃ］と表せる。すなわち、着座位置は、スパインコイルの設置位置Ｐｃ［ｚｃ］よりマイナス側であり、図６（Ｂ）中で設置位置Ｐｃ［ｚｃ］より右側であり、磁石架台１００から遠い側である。
【００８２】
なお、磁石架台１００への進入がＦｏｏｔ−Ｆｉｒｓｔの場合、使用コイルがスパインコイルであるときの着座位置は、スパインコイルの設置位置と、図５に示す距離△ｚｃ（正）とを使ってＳｃ［ｚｃ＋△ｚｃ］と表せる。すなわち、着座位置は、スパインコイルの設置位置よりプラス側であり、磁石架台１００に近い側である。
【００８３】
図６（Ｃ）は、天板５１の上面図を示す。使用コイルがニーコイルである場合の着座位置は、ニーコイルの設置位置Ｐｅ［ｚｅ］と、図５に示す距離△ｚｅ（負）とを使ってＳｅ［ｚｅ−△ｚｅ］と表せる。すなわち、着座位置は、ニーコイルの設置位置Ｐｅ［ｚｅ］よりプラス側であり、図６（Ｃ）中で設置位置Ｐｅ［ｚｅ］より左側であり、磁石架台１００に近い側である。
【００８４】
なお、磁石架台１００への進入がＦｏｏｔ−Ｆｉｒｓｔの場合、使用コイルがニーコイルであるときの着座位置は、ニーコイルの設置位置と、図５に示す距離△ｚｅ（負）とを使ってＳｅ［ｚｅ＋△ｚｅ］と表せる。すなわち、着座位置は、ニーコイルの設置位置よりマイナス側であり、磁石架台１００から遠い側である。
【００８５】
図４の説明に戻って、指示制御機能４０３は、ステップＳＴ５によって算出された着座位置を指示する（ステップＳＴ６）。
【００８６】
図７は、天板５１上の着座位置と、その指示方法の第１例を示す図である。
【００８７】
図７の上段は、磁石架台１００、寝台本体５０、及び天板５１の側面図を示し、図７の下段は、寝台本体５０及び天板５１の上面図を示す。また、天板５１上のＸＺ面の位置を［Ｘ，Ｚ］と定義すると、天板５１上の着座位置Ｓ［ｕ］を示す線とＸ方向における天板５１の中央線ｃとの交点が着座位置Ｓ［ｃ，ｕ］となる。
【００８８】
また、指示部８００として、磁石架台１００に、光の照射方向が可変である投光器８１が備えられるものとする。投光器８１としては、指向性が高いレーザ光を用いるレーザポインタが用いられることが好適である。指示制御機能４０３（図３に図示）は、投光器８１が着座位置Ｓ［ｃ，ｕ］に向けて光を照射するように投光器８１を制御する。例えば、投光器８１は、Ｘ方向の平行方向に回転軸を有する。その場合、指示制御機能４０３は、着座位置Ｓ［ｃ，ｕ］が発光されるように、着座位置Ｓ［ｃ，ｕ］のＹＺ成分に基づく回転量だけ投光器８１を、回転軸を中心に回転させる。回転後の投光器８１から着座位置Ｓ［ｃ，ｕ］に向けて発光されることで、着座前の患者に着座位置Ｓ［ｃ，ｕ］を指示できる。
【００８９】
又は、指示部８００として、検査室の天井に、光の照射方向が可変である投光器８２が備えられるものとする。指示制御機能４０３（図３に図示）は、投光器８２が着座位置Ｓ［ｃ，ｕ］に向けて光を照射するように投光器８２を制御する。例えば、投光器８２は、Ｘ方向の平行方向に回転軸を有する。その場合、指示制御機能４０３は、着座位置Ｓ［ｃ，ｕ］が発光されるように、着座位置Ｓ［ｃ，ｕ］のＹＺ成分に基づく回転量だけ投光器８２を、回転軸を中心に回転させる。回転後の投光器８２から着座位置Ｓ［ｃ，ｕ］に向けて発光されることで、着座前の患者に着座位置Ｓ［ｃ，ｕ］を指示できる。なお、投光器８２は、Ｚ方向の平行方向に延設されるレール上に備えられてもよい。その場合、投光器８２は回転可能である必要はない。指示制御機能４０３（図３に図示）は、着座位置Ｓ［ｃ，ｕ］が発光されるように、着座位置Ｓ［ｃ，ｕ］のＺ成分に基づく移動量だけ投光器８２をレール上で移動させる。
【００９０】
図８は、天板５１上の着座位置と、その指示方法の第２例を示す図である。
【００９１】
図８の上段は、磁石架台１００、寝台本体５０、及び天板５１の側面図を示し、図８の下段は、寝台本体５０及び天板５１の上面図を示す。
【００９２】
指示部８００として、磁石架台１００に、光の照射方向が可変である投光器８３が備えられるものとする。投光器８３には、その発光口に凸レンズが配置される。指示制御機能４０３（図３に図示）は、投光器８３が着座位置Ｓ［ｃ，ｕ］に向けて光を照射するように投光器８３を制御する。例えば、投光器８３は、Ｘ方向の平行方向に回転軸を有する。投光器８３は、Ｘ方向の平行方向に回転軸を有する。その場合、指示制御機能４０３は、着座位置Ｓ［ｃ，ｕ］を中心とする天板５１上の領域Ｍが発光されるように、領域ＭのＹＺ位置に基づく回転量だけ投光器８３を、回転軸を中心に回転させる。回転後の投光器８３から領域Ｍに向けて発光されることで、着座前の患者に着座位置Ｓ［ｃ，ｕ］を指示できる。
【００９３】
又は、指示部８００として、検査室の天井に、光の照射方向が可変である投光器８４が備えられるものとする。指示制御機能４０３（図３に図示）は、投光器８４が着座位置Ｓ［ｃ，ｕ］に向けて光を照射するように投光器８４を制御する。例えば、投光器８４は、Ｘ方向の平行方向に回転軸を有する。その場合、指示制御機能４０３は、領域Ｍが発光されるように、領域ＭのＹＺ成分に基づく回転量だけ投光器８４を、回転軸を中心に回転させる。回転後の投光器８４から領域Ｍに向けて発光されることで、着座前の患者に着座位置Ｓ［ｃ，ｕ］を指示できる。なお、投光器８４は、Ｚ方向の平行方向に延設されるレール上に備えられてもよい。その場合、投光器８４は回転可能である必要はない。指示制御機能４０３（図３に図示）は、領域Ｍが発光されるように、領域ＭのＺ成分に基づく移動量だけ投光器８４をレール上で移動させる。
【００９４】
図９は、天板５１上の着座位置と、その指示方法の第３例を示す図である。
【００９５】
図９の上段は、天板５１の側面図を示し、図９の下段は、天板５１の上面図を示す。
【００９６】
指示部８００として、天板５１内の上側に、Ｚ方向の平行方向、例えば中央線ｃに沿ってＬＥＤ（Light Emitting Diode）ライト等のような複数の発光体８５が配列される。その場合、指示制御機能４０３（図３に図示）は、複数の発光体８５のうち、着座位置Ｓ［ｃ，ｕ］に対応する発光体を発光させることで、着座前の患者に着座位置Ｓ［ｃ，ｕ］を指示できる。ここで、着座位置Ｓ［ｃ，ｕ］に対応する発光体は、着座位置Ｓ［ｃ，ｕ］に最も近い１又は複数の発光体である。
【００９７】
指示制御機能４０３（図３に図示）は、着座位置Ｓ［ｃ，ｕ］を中心として患者の尻幅（ヒップサイズ）に対応する複数の発光体を発光させることもできる。その場合、患者の尻幅は、ワークリストの身体情報から取得されるものであってもよいし、計測部７００（図３に図示）によって計測された身体情報から取得されるものであってもよい。
【００９８】
図１０は、天板５１上の着座位置と、その指示方法の第４例を示す図である。
【００９９】
図１０は、天板５１の上面図を示す。また、天板５１上に、Ｚ方向の平行方向、例えば中央線ｃに沿って、天板５１のＺ方向の位置を示す複数の着座位置候補が印される。
【０１００】
指示部８００として、スピーカ８６が備えられる。その場合、指示制御機能４０３（図３に図示）は、複数の着座位置候補のうち、着座位置Ｓ［ｕ］に対応する着座位置に対応する着座位置候補を通知する情報をスピーカ８６から出力させる。例えば、指示制御機能４０３は、記憶回路４１（図３に図示）から、着座位置Ｓ［ｕ］に対応する着座位置候補の識別子を発声する音声データを取得する。そして、指示制御機能４０３は、取得された音声データを再生してスピーカ８６から発声させることで、着座前の患者に着座位置Ｓ［ｃ，ｕ］を指示できる。例えば、スピーカ８６は、識別子としての「６０番」を少なくとも発声すればよい。ここで、着座位置Ｓ［ｕ］に対応する着座位置候補は、着座位置Ｓ［ｕ］に最も近い１又は複数の着座位置候補である。
【０１０１】
なお、指示部８００として、天板５１の側の補助ディスプレイが備えられてもよい。その場合、指示制御機能４０３（図３に図示）は、複数の着座位置候補のうち、着座位置Ｓ［ｕ］に対応する着座位置候補を通知する情報を補助ディスプレイに表示させる。例えば、指示制御機能４０３は、記憶回路４１（図３に図示）から、着座位置Ｓ［ｕ］に対応する着座位置候補の識別子を示す画像データを取得する。そして、指示制御機能４０３は、取得された画像データを補助ディスプレイに表示させることで、着座前の患者に着座位置Ｓ［ｃ，ｕ］を指示できる。例えば、補助ディスプレイは、識別子としての「６０番」を少なくとも表示すればよい。
【０１０２】
図１１は、天板５１上の着座位置と、その指示方法の第５例を示す図である。
【０１０３】
図１１の上段は、寝台本体５０及び天板５１の側面図を示し、図１１の下段は、寝台本体５０及び天板５１の上面図を示す。
【０１０４】
指示部８００として、寝台本体５０内の上側、又は、寝台本体５０上部に載置されたＬＥＤライト等のような複数の発光体８７が備えられる。その場合、指示制御機能４０３（図３に図示）は、複数の発光体８７のうち、着座位置Ｓ［ｕ］に対応する発光体を発光させることで、着座前の患者に着座位置Ｓ［ｕ］を指示できる。ここで、着座位置Ｓ［ｕ］に対応する発光体は、着座位置Ｓ［ｕ］に最も近い１又は複数の発光体である。
【０１０５】
図１２は、天板５１上の着座位置と、その指示方法の第６例を示す図である。
【０１０６】
図１２は、寝台本体５０及び天板５１の上面図を示す。また、寝台本体５０上に、天板５１のＺ方向の位置を示す複数の着座位置候補が印される。
【０１０７】
指示部８００として、スピーカ８６が備えられるとする。その場合、指示制御機能４０３（図３に図示）は、記憶回路４１（図３に図示）から、着座位置Ｓ［ｕ］に対応する着座位置候補の識別子を発声する音声データを取得する。そして、指示制御機能４０３は、取得された音声データを再生してスピーカ８６から発声させることで、着座前の患者に着座位置Ｓ［ｕ］を指示できる。ここで、着座位置Ｓ［ｕ］に対応する着座位置候補は、着座位置Ｓ［ｕ］に最も近い１又は複数の着座位置候補である。
【０１０８】
なお、指示部８００として、天板５１の側の補助ディスプレイが備えられてもよい。その場合、指示制御機能４０３（図３に図示）は、記憶回路４１（図３に図示）から、着座位置Ｓ［ｕ］に対応する着座位置候補の識別子を示す画像データを取得する。そして、指示制御機能４０３は、取得された画像データを補助ディスプレイに表示させることで、着座前の患者に着座位置Ｓ［ｕ］を指示できる。
【０１０９】
図４の説明に戻って、患者は、ステップＳＴ６によって指示された着座位置に従って着座位置に着座し、又は、ステップＳＴ６によって指示された着座位置のＺ成分と目測のＸ成分（天板５１のＸ方向の真中）とに従って着座位置に着座する。そして、患者は、着座位置にて基準部位を中心として体を回転させて着座の姿勢から臥位の姿勢となる。
【０１１０】
図１３は、天板５１上の着座位置に着座した患者を示す図である。
【０１１１】
図１３は、寝台本体５０及び天板５１の側面図を示す。患者が着座位置Ｓ［ｃ，ｕ］に着座すると、着座位置Ｓ［ｃ，ｕ］が基準部位Ｂにほぼ一致する。図６（Ａ）を用いて説明したように、撮像部位が頭部である場合、着座位置Ｓａ［ｚａ−△ｚａ］に着座した患者の、基準部位Ｂから頭部までのＺ方向の距離は△ｚａであり、頭部コイルの設置位置Ｐａ［ｚａ］から着座位置Ｓａ［ｚａ−△ｚａ］の差に等しい。
【０１１２】
図４の説明に戻って、操作者は、天板５１に臥位にて載置された患者の位置を微調整するもできる。
【０１１３】
図１４は、天板５１に臥位にて載置された患者の位置の微調整方法を説明するための図である。
【０１１４】
図１４は、天板５１及び患者の側面図を示す。図１４に示すように、天板５１上には、袋状シートＬが載置され、患者は、その袋状シートＬ上に臥位にて載置することになる。袋状シートＬは、天板５１上に設置可能であり、外表面が高摩擦係数素材によって構成され、内部に紛体潤滑剤が封入されている。袋状シートＬには、吸引排出装置（図示しない）に接続された吸引排出口が設けられる。吸引排出装置は、袋状シートＬへの空気の注入と袋状シートＬからの空気の排出が可能な構成を備える。
【０１１５】
図１４の上段に示すように、吸引排出装置解放（内部圧力は大気圧）の状態で袋状シートＬに患者が臥位にて載置される。内部圧力が大気圧の状態では、内部に封入した粉体潤滑剤のため袋状シートの上側と下側が低摩擦状態にあり小さな外力で上側と下側のスライド動作が行える。一方、外表面はラバー等高摩擦係数素材で構成されるため、「袋状シート下面と天板」「袋状シート上面と患者」の間でのズレを防止できる。つまり、図１４の上段に示す袋状シートＬの点Ｒが、図１４の下段に示す袋状シートＬの点Ｒに移動する。移動後袋状シートＬの内部空気を吸引することで、袋状シートの上側と下側が固着され天板と患者の位置は固定される。
【０１１６】
図４の説明に戻って、操作者は、天板５１に臥位にて載置された患者に、使用コイルを装着する。撮像機能４０４は、天板５１に臥位にて載置された患者の撮像に係る撮像条件を設定し、その撮像条件に基づいてシーケンスコントローラ３４を制御して撮像を実行させる（ステップＳＴ７）。
【０１１７】
ＭＲＩ装置１によると、患者の身体情報に応じた適切な着座位置を提示できる。また、ＭＲＩ装置１によると、患者の身体情報と、当該患者の撮像部位に対応する使用コイルの設置位置とに応じた適切な着座位置を提示できる。さらに、ＭＲＩ装置１によると、患者の身体情報と、使用コイルの設置位置との他、磁石架台１００への進入方向に応じた適切な着座位置を提示できる。
【０１１８】
（変形例）
医用画像診断装置としてのＸ線ＣＴ装置が、上述の計測部７００を備え、Ｘ線ＣＴ装置が、選択機能４０１、演算機能４０２、及び指示制御機能４０３として機能するように構成されてもよい。上述の各種のＲＦコイルは、ＣＴ撮像用の頭部固定具に代替される。
【０１１９】
図１５は、Ｘ線ＣＴ装置に備えられる頭部固定具における天板５１上の設置位置を示す図である。
【０１２０】
図１５は、寝台本体５０及び天板５１の上面図を示す。図１５は、頭部固定具２０ｇが使用される場合の天板５１上の設置位置を示す。頭部固定具２０ｇは、天板５１に対して設置位置が決まっている。
【０１２１】
図１６は、天板５１上の着座位置の算出方法を説明するための図である。
【０１２２】
図１６は、寝台本体５０及び天板５１の上面図を示す。着座位置は、頭部固定具２０ｇの設置位置（中心位置）Ｐａ［ｚｇ］から、図５に示す距離△ｚａだけＺ方向に離れた位置Ｓｇ［ｚｇ−△ｚａ］である。
【０１２３】
Ｘ線ＣＴ装置によると、患者の身体情報に応じた適切な着座位置を提示できる。また、Ｘ線ＣＴ装置によると、患者の身体情報と、当該患者の撮像部位を固定する固定具の設置位置とに応じた適切な着座位置を提示できる。
【０１２４】
以上述べた少なくともひとつの実施形態の医用画像診断装置及びＭＲＩ装置によれば、患者の身体情報に応じた適切な着座位置を提示するので、天板上における患者の位置合せ動作の負荷を軽減できる。
【０１２５】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【０１２６】
１…磁気共鳴イメージング（ＭＲＩ）装置
２０…ＲＦコイル
４０…処理回路
８１〜８４…投光器
８５，８７…複数の発光体
８６…スピーカ
４０１…選択機能
４０２…演算機能
４０３…指示制御機能
４０４…撮像機能
６００…検知部
７００…計測部
８００…指示部
【図１】
0006691795.tif 000002
【図２】
0006691795.tif 000003
【図３】
0006691795.tif 000004
【図４】
0006691795.tif 000005
【図５】
0006691795.tif 000006
【図６】
0006691795.tif 000007
【図７】
0006691795.tif 000008
【図８】
0006691795.tif 000009
【図９】
0006691795.tif 000010
【図１０】
0006691795.tif 000011
【図１１】
0006691795.tif 000012
【図１２】
0006691795.tif 000013
【図１３】
0006691795.tif 000014
【図１４】
0006691795.tif 000015
【図１５】
0006691795.tif 000016
【図１６】
0006691795.tif 000017